(57)【要約】【課題】  受信感度の劣化を防止しつつ、消費電流を削減可能な無線受信装置を提供する。【解決手段】  ＲＦフロントエンド回路２ａによる周波数のダウンコンバート後の受信信号から、所望信号及び所望信号の隣接チャネル信号を抽出するフィルタ３ａ、フィルタ３ａの出力信号を検波して検波結果を基準レベルと比較し、検波結果が基準レベルを超えたか否か判定するレベル判定回路４ａ、所望信号の信号レベルを検波又は復調して、信号レベルが一定値を超えたか否か判定するＢＢ処理部７、レベル判定回路４ａ及びＢＢ処理部７のぞれぞれの判定結果に応じて、ＲＦフロントエンド回路２ａに流れる電流とＲＦフロントエンド回路２ａの利得を制御する制御回路１ａを備える。【選択図】    図１
2006129161.tif 000002
【特許請求の範囲】
【請求項１】
高周波フロントエンド回路による周波数のダウンコンバート後の受信信号から、所望信号及び前記所望信号の隣接チャネル信号を抽出するフィルタと、
前記フィルタの出力信号を検波して検波結果を基準レベルと比較し、前記検波結果が前記基準レベルを超えたか否か判定するレベル判定回路と、
前記所望信号の信号レベルを検波又は復調して、前記信号レベルが一定値を超えたか否か判定するベースバンド処理部と、
前記レベル判定回路及び前記ベースバンド処理部のぞれぞれの判定結果に応じて、前記高周波フロントエンド回路に流れる電流と前記高周波フロントエンド回路の利得を制御する制御回路
とを備えることを特徴とする無線受信装置。
【請求項２】
前記高周波フロントエンド回路の歪特性が、前記電流によって制御されることを特徴とする請求項１に記載の無線受信装置。
【請求項３】
前記制御回路は、前記検波結果が前記基準レベル以下であり、前記信号レベルが前記一定値以下であると判定された場合、前記利得を高利得に制御し、且つ、前記電流を減少させることを特徴とする請求項２に記載の無線受信装置。
【請求項４】
前記制御回路は、前記検波結果が前記基準レベルを超え、前記信号レベルが前記一定値以下であると判定された場合、前記利得を高利得に制御し、且つ、前記電流を増加させることを特徴とする請求項２に記載の無線受信装置。
【請求項５】
前記制御回路は、前記検波結果が前記基準レベルを超え、前記信号レベルが前記一定値を超えたと判定された場合、前記利得を低利得に制御し、且つ、前記電流を減少させることを特徴とする請求項２に記載の無線受信装置。
【発明の詳細な説明】
【技術分野】
【０００１】
本発明は、移動体通信機器に実装される無線受信装置に関する。
【背景技術】
【０００２】
移動体通信機器に実装される無線受信装置は、アンテナからの受信信号を増幅してダウンコンバートする高周波（ＲＦ）フロントエンド回路を有する。また、移動体通信機器においては電波状況が変化し易く、所望信号波よりも大きな電界強度を有する隣接チャネル信号波が混入することがある。隣接チャネル信号は、ＲＦフロントエンド回路とベースバンド（ＢＢ）処理部との間に接続されたフィルタにより、ある程度除去可能である（例えば、非特許文献１参照。）。所望信号の信号レベルが隣接チャネル信号よりも非常に小さい場合、隣接チャネル信号が発生する歪が、所望信号の帯域に至るため、無線受信装置の受信感度の劣化が生じる。よって、ＲＦフロントエンド回路への供給電流量を増大させて歪特性を向上させる必要がある。これに対して所望信号の信号レベルが隣接チャネル信号よりも大きい場合、歪特性を向上させる必要がないために消費電流は増大しない。
【０００３】
しかしながら、受信感度の劣化を防止するために、ＲＦフロントエンド回路の歪特性を常に良好に保つことが要求される。特に、ダイレクトコンバージョン方式を採用した無線受信装置を干渉波が存在する実電波環境下で使用する場合には、スーパーヘテロダイン方式を採用した無線受信装置に比べて、ＲＦフロントエンド回路内のミキサの歪特性が問題となる。よって、ＲＦフロントエンド回路への供給電流が最大に保たれて消費電流が増大する。この結果、消費電流の制限される携帯電話端末等においては、通話時間及び待ち受け時間等の動作可能時間が短縮される。
【非特許文献１】東  伸一郎  (Shin'ichiro Azuma)  他，モバイル用途のデジタル地上波放送チューナ（A Digital Terrestrial Television (ISDB-T) Tuner for Mobile Applications），国際固体素子回路会議（ＩＳＳＣ）２００４  セッション（SESSION）１５  ワイヤレスコンシューマ（WIRELESS CONSUMER）ＩＣ  １５．６，（米国），米国電気電子学会（ＩＥＥＥ），２００４年２月１７日
【発明の開示】
【発明が解決しようとする課題】
【０００４】
本発明は、受信感度の劣化を防止しつつ、消費電流を削減可能な無線受信装置を提供する。
【課題を解決するための手段】
【０００５】
本発明の一態様は、（イ）高周波フロントエンド回路による周波数のダウンコンバート後の受信信号から、所望信号及び所望信号の隣接チャネル信号を抽出するフィルタ；（ロ）フィルタの出力信号を検波して検波結果を基準レベルと比較し、検波結果が基準レベルを超えたか否か判定するレベル判定回路；（ハ）所望信号の信号レベルを検波又は復調して、信号レベルが一定値を超えたか否か判定するベースバンド処理部；（ニ）レベル判定回路及びベースバンド処理部のぞれぞれの判定結果に応じて、高周波フロントエンド回路に流れる電流と高周波フロントエンド回路の利得を制御する制御回路を備える無線受信装置であることを要旨とする。
【発明の効果】
【０００６】
本発明によれば、受信感度の劣化を防止しつつ、消費電流を削減可能な無線受信装置を提供できる。
【発明を実施するための最良の形態】
【０００７】
次に、図面を参照して、本発明の実施の形態を説明する。この実施の形態における図面の記載において、同一又は類似の部分には同一又は類似の符号を付している。
【０００８】
本発明の実施の形態に係る無線受信装置は、図１に示すように、アンテナ８、高周波（ＲＦ）フロントエンド回路２ａ、第１ベースバンド（ＢＢ）フィルタ５ａ、第２ＢＢフィルタ５ｂ、第１ＢＢ可変利得増幅器６ａ、第２ＢＢ可変利得増幅器６ｂ、ＢＢ処理部７、フィルタ３ａ、レベル判定回路４ａ、及び制御回路１ａを備える。尚、図１においては、ダイレクトコンバージョン方式を採用した無線受信装置を例示している。ここで、「ＲＦフロントエンド回路」とは、少なくとも、アンテナ８からの受信信号を増幅し、増幅された受信信号の周波数をダウンコンバートする回路を意味する。フィルタ３ａは、ＲＦフロントエンド回路２ａによる周波数のダウンコンバート後の受信信号から、所望信号及び所望信号の隣接チャネル信号を抽出する。ここで、「隣接チャネル信号」とは、所望信号の周波数帯域に最も近接する周波数帯域の干渉信号を意味する。レベル判定回路４ａは、フィルタ３ａの出力信号を検波して検波結果を基準レベルと比較し、検波結果が基準レベルを超えたか否か判定する。ＢＢ処理部７は、所望信号の信号レベルを検波又は復調して、信号レベルが一定値を超えたか否か判定する。制御回路１ａは、レベル判定回路４ａ及びＢＢ処理部７のぞれぞれの判定結果に応じて、ＲＦフロントエンド回路２ａに流れる電流とＲＦフロントエンド回路２ａの利得を制御する。
【０００９】
また、ＲＦフロントエンド回路２ａは、例えば、アンテナ８に接続されたローノイズアンプ（ＬＮＡ）２１と、ＬＮＡ２１に接続されたＲＦフィルタ２２と、直交復調器２０ａとを備える。直交復調器２０ａは、ＲＦフィルタ２２に接続された復調用アンプ２３と、復調用アンプ２３に接続された第１ミキサ２４ａ及び第２ミキサ２６ａと、第１ミキサ２４ａ及び第２ミキサ２６ａに接続された移相器２５ａと、移相器２５ａに接続されたローカル発振器２７ａとを備える。即ち、図１に示す例においては、直交位相変調（ＱＰＳＫ）方式に準拠したＲＦフロントエンド回路２ａを示している。ＲＦフィルタ２２としては、例えば、バンドパスフィルタ（ＢＰＦ）が使用できる。第１ＢＢフィルタ５ａ、第２ＢＢフィルタ５ｂ、及びフィルタ３ａとしては、例えば、ローパスフィルタ（ＬＰＦ）が使用できる。
【００１０】
アンテナ８からの受信信号は、ＬＮＡ２１で増幅されてＲＦフィルタ２２に伝達される。ＲＦフィルタ２２は、通信に用いられる周波数帯域以外の信号成分を減衰させる。ＲＦフィルタ２２の出力信号は復調用アンプ２３により増幅されて第１ミキサ２４ａ及び第２ミキサ２６ａに伝達される。移相器２５ａは、受信信号と等しい周波数を有するローカル発振信号を、位相の９０°異なる２つのローカル発振信号に変換する。第１ミキサ２４ａ及び第２ミキサ２６ａは、復調用アンプ２３の出力信号と位相の９０°異なる２つのローカル発振信号とをそれぞれミキシングして、第１ＢＢ信号Ｉ及び第２ＢＢ信号Ｑをそれぞれ生成する。
【００１１】
ここで、無線受信装置の性能を評価する指標として、相互変調特性及び隣接チャネル感度抑圧特性等がある。相互変調特性は、隣接チャネル及び次隣接チャネルへ干渉信号を入力した場合の受信性能を規定し、隣接チャネル感度抑圧特性は、図２に示すように、隣接チャネルへ干渉信号を入力した場合の受信性能を規定する。
【００１２】
隣接チャネルに高レベルの干渉信号が入力されると、図３に示すように、図１に示すＬＮＡ２１、復調用アンプ２３、第１ミキサ２４ａ、及び第２ミキサ２６ａ等が飽和して受信信号帯域内に歪を生じる。よって、隣接チャネル干渉波によって生じる歪を抑圧することが、無線受信装置の受信感度の劣化を防止する上で最も重要である。制御回路１ａからの基準電流により、ＬＮＡ２１、復調用アンプ２３、第１ミキサ２４ａ、及び第２ミキサ２６ａ等に流れる電流が制御される。ＬＮＡ２１、復調用アンプ２３、第１ミキサ２４ａ、及び第２ミキサ２６ａ等に流れる電流を増加させることにより、歪特性が良好に維持される。
【００１３】
また、図１に示すフィルタ３ａは、例えば、第１ミキサ２４ａと第１ＢＢフィルタ５ａとの接続ノードに接続される。或いは、フィルタ３ａが、第２ミキサ２６ａと第２ＢＢフィルタ５ｂとの接続ノードに接続されても良い。第１ＢＢ信号Ｉ又は第２ＢＢ信号Ｑにおいては、周波数が十分に低減されているため、フィルタ３ａにより所望信号及び隣接チャネル信号を高精度に抽出可能である。レベル判定回路４ａは、フィルタ３ａの出力に入力が接続され、フィルタ３ａの出力信号を検波する。この結果、所望信号及び隣接チャネル信号のいずれか大きい方の信号レベルが検出される。レベル判定回路４ａは、所望信号及び隣接チャネル信号のいずれか大きい方の信号レベルが、基準レベルよりも大きいか否か判定する。
【００１４】
更に、第１ＢＢ可変利得増幅器６ａは、第１ＢＢフィルタ５ａとＢＢ処理部７との間に接続される。第２ＢＢ可変利得増幅器６ｂは、第２ＢＢフィルタ５ｂとＢＢ処理部７との間に接続される。第１ＢＢフィルタ５ａは、第１ＢＢ信号Ｉから所望信号の周波数帯域成分を抽出して第１ＢＢ可変利得増幅器６ａに伝達する。第２ＢＢフィルタ５ｂは、第２ＢＢ信号Ｑから所望信号の周波数帯域成分を抽出して第２ＢＢ可変利得増幅器６ｂに伝達する。第１ＢＢ可変利得増幅器６ａは、ＢＢ処理部７により利得が制御され、第１ＢＢフィルタ５ａの出力信号を増幅する。第２ＢＢ可変利得増幅器６ｂは、ＢＢ処理部７により利得が制御され、第２ＢＢフィルタ５ｂの出力信号を増幅する。
【００１５】
したがって、ＢＢ処理部７には、主に、第１ＢＢ信号Ｉ及び第２ＢＢ信号Ｑのぞれぞれの所望信号成分が入力されることとなる。ＢＢ処理部７は、所望信号の復調及び図１に示す各回路の制御を行う。また、ＢＢ処理部７は、所望信号の信号レベルを検知して、所望信号の信号レベルが一定値を超えたか否か判定する。
【００１６】
また、図１に示す制御回路１ａは、レベル判定回路４ａ及びＢＢ処理部７のぞれぞれの判定結果に基づき、図４（ａ）及び（ｂ）に示す３つの動作モードのいずれかを選択する。「通常モード」は、ＲＦフロントエンド回路２ａの利得を高利得に制御し、ＲＦフロントエンド回路２ａを低消費電流で動作させるモードである。また、「低歪モード」は、ＲＦフロントエンド回路２ａの利得を高利得に制御し、ＲＦフロントエンド回路２ａの消費電流を増加させる動作モードである。「低利得モード」は、ＲＦフロントエンド回路２ａの利得を高利得に制御し、ＲＦフロントエンド回路２ａを低消費電流で動作させるモードである。
【００１７】
一例として、レベル判定回路４ａに設定される基準レベル及びＢＢ処理部７に設定される一定値をＡ［ｄＢｍＷ］とすると、図５に示す所望信号及び隣接チャネル信号のいずれもＡ［ｄＢｍＷ］よりも小さい場合、制御回路１ａは、ＲＦフロントエンド回路２ａを通常モードで動作させる。
【００１８】
これに対して図６に示すように、所望信号がＡ［ｄＢｍＷ］よりも大きく、隣接チャネル信号がＡ［ｄＢｍＷ］よりも小さい場合、制御回路１ａは低利得モードを選択する。即ち、ＲＦフロントエンド回路２ａの利得を増加させると所望信号の飽和による歪が発生するため、ＲＦフロントエンド回路２ａを低利得で動作させることが望ましいからである。また、隣接チャネル信号が発生する歪を抑圧する必要がないので、制御回路１ａはＲＦフロントエンド回路２ａを低消費電流で動作させる。
【００１９】
更に、図７に示すように、所望信号がＡ［ｄＢｍＷ］よりも小さく、隣接チャネル信号がＡ［ｄＢｍＷ］よりも大きい場合、制御回路１ａは低歪モードを選択する。所望信号の信号レベルを増幅し、且つ隣接チャネル信号が発生する歪を抑圧するためである。尚、図８に示すように、所望信号及び隣接チャネル信号のいずれもＡ［ｄＢｍＷ］よりも大きい場合は低利得モードが選択される。
【００２０】
上述したように、低利得モードにおいては、ＲＦフロントエンド回路２ａの利得が低利得に制御される。一例として、図１に示すアンテナ８が受信した受信信号中の所望信号レベルが、雑音レベルよりも大きい場合の所望信号レベル及び雑音レベルの電力は、図９に示すように遷移する。一方、アンテナ８が受信した受信信号中の所望信号レベルが、隣接チャネル信号レベルよりも小さい場合における所望信号レベル、雑音レベル、及び隣接チャネル信号レベルの遷移の様子を図１０に示す。図９（ａ）及び図１０（ａ）はアンテナ８の出力電力を示し、図９（ｂ）及び図１０（ｂ）はＬＮＡ２１の出力電力を示し、図９（ｃ）及び図１０（ｃ）はＲＦフィルタ２０２の出力電力を示し、図９（ｄ）及び図１０（ｄ）は直交復調器２０ａの出力電力を示し、図９（ｅ）及び図１０（ｅ）は第１ＢＢフィルタ５ａ及び第２ＢＢフィルタ５ｂの出力電力を示し、図９（ｆ）及び図１０（ｆ）は第１ＢＢ可変利得増幅器６ａ及び第２ＢＢ可変利得増幅器６ｂの出力電力を示している。
【００２１】
図９においては、所望信号レベルが雑音レベルよりも大きいので、図９（ｂ）に示すようにＬＮＡ２１を低利得としても、図９（ｆ）に示すように第１ＢＢ可変利得増幅器６ａ及び第２ＢＢ可変利得増幅器６ｂの出力電力で良好な信号対雑音（Ｓ／Ｎ）比を確保できる。これに対して図１０（ｅ）においては、第１ＢＢフィルタ５ａ及び第２ＢＢフィルタ５ｂが隣接チャネル信号の信号レベルを低減させている。しかし、図１０（ｂ）に示すように、ＬＮＡ２１が低利得であるために所望信号レベルが増幅されず、図１０（ｆ）に示すように第１ＢＢ可変利得増幅器６ａ及び第２ＢＢ可変利得増幅器６ｂの出力電力で十分なＳ／Ｎ比を確保できない。このように、図１０に示す隣接チャネル信号レベルが所望信号レベルよりも大きい場合には、低利得モードを採用できない。
【００２２】
更に、図１に示す制御回路１ａは、利得制御回路１１、電流制御回路１２、及び電流供給回路１３を備える。利得制御回路１１は、ＢＢ処理部７に入力が接続され、ＲＦフロントエンド回路２ａ及び電流制御回路１２に出力が接続される。電流制御回路１２の出力は電流供給回路１３の入力に接続される。電流供給回路１３の出力はＲＦフロントエンド回路２ａに接続される。
【００２３】
また、電流供給回路１３は、ＲＦフロントエンド回路２ａに電流を供給する。電流制御回路１２は、検波結果が基準レベルを超えたと判定された場合に電流を増加させ、検波結果が基準レベル以下であると判定された場合に電流を減少させる。利得制御回路１１は、信号レベルが一定値を超えたと判定された場合に利得及び電流を減少させ、信号レベルが一定値以下であると判定された場合に利得を増加させる。
【００２４】
次に、図１１に示すフローチャートを参照して、本発明の実施の形態に係る無線受信装置の動作を説明する。
【００２５】
（イ）ステップＳ１１の動作開始時において、図１に示す制御回路１ａは、ＲＦフロントエンド回路２ａを通常モードで動作させる。即ち、電流制御回路１２は、図４（ｂ）に示すように、電流供給回路１３の供給電流を低レベルに制御する。また、利得制御回路１１は、図４（ａ）に示すように、ＲＦフロントエンド回路２ａの利得を高レベルに制御する。
【００２６】
（ロ）ステップＳ１２において、図１に示すレベル判定回路４ａは、所望信号及び隣接チャネル信号のいずれかの信号レベルが基準レベルを超えたか否か判定する。所望信号及び隣接チャネル信号のいずれかの信号レベルが基準レベルを超えたと判定されると、ステップＳ１３に進む。一方、所望信号及び隣接チャネル信号のいずれかの信号レベルが基準レベルを超えないと判定された場合、ステップＳ１１に戻り通常モードが維持される。
【００２７】
（ハ）ステップＳ１３において、制御回路１ａは、ＲＦフロントエンド回路２ａを低歪モードで動作させる。具体的には、レベル判定回路４ａから電流制御回路１２へ、所望信号及び隣接チャネル信号のいずれかの信号レベルが基準レベルを超えた旨が報告されると、電流制御回路１２は図４（ｂ）に示すように、電流供給回路１３の供給電流を増加させる。また、図４（ａ）に示すように、ＲＦフロントエンド回路２ａの利得が高レベルに維持される。ＲＦフロントエンド回路２ａの利得が高レベルに維持され、消費電流が高レベルに移行すると、ステップＳ１４に進む。
【００２８】
（ニ）ステップ１４において、図１に示すＢＢ処理部７は、所望信号の信号レベルが一定値を超えたか否か判定する。ＢＢ処理部７に入力されるのは、主に、第１ＢＢ信号Ｉ及び第２ＢＢ信号Ｑ中の所望信号成分であるため、ＢＢ処理部７は所望信号の信号レベルを検出できる。所望信号の信号レベルが一定値を超えたと判定された場合、ステップＳ１５に進む。これに対して、所望信号の信号レベルが一定値を超えないと判定された場合、ステップＳ１６に進み、低歪モードが維持される。
【００２９】
（ホ）ステップＳ１５において、制御回路１ａは、ＲＦフロントエンド回路２ａを低利得モードで動作させる。詳細には、ＢＢ処理部７から利得制御回路１１へ、所望信号の信号レベルが一定値を超えた旨が報告されると、利得制御回路１１は、図４（ａ）に示すように、ＲＦフロントエンド回路２ａの利得を低利得に制御する。ＲＦフロントエンド回路２ａの利得が低利得に制御されると、電流制御回路１２は、図４（ｂ）に示すように、ＲＦフロントエンド回路２ａを低消費電力で動作させる。ＲＦフロントエンド回路２ａの利得及び消費電流が低レベルに移行すると、ステップＳ１７に進む。
【００３０】
（ヘ）ステップＳ１７において、レベル判定回路４ａは、所望信号及び隣接チャネル信号のいずれの信号レベルも基準レベル以下になったか否か判定する。所望信号及び隣接チャネル信号のいずれの信号レベルも基準レベル以下になったと判定された場合、ステップＳ１１に処理が戻り通常モードに移行する。
【００３１】
このように、制御回路１ａは、所望信号が小さく、且つ隣接チャネル信号が大きい場合にのみ、ＲＦフロントエンド回路２ａの消費電流を増加させる。即ち制御回路１ａは、所望信号が小さく、且つ隣接チャネル信号が大きい場合以外は、ＲＦフロントエンド回路２ａを低消費電力で動作させている。したがって、本発明の実施の形態によれば、隣接チャネル感度抑圧の仕様を良好に保ちつつ、ＲＦフロントエンド回路２ａの平均的な消費電流を１／２程度に削減可能な無線受信装置を提供できる。
【００３２】
（第１の変形例）
本発明の実施の形態の第１の変形例として図１２に示すように、フィルタ３ｂ、レベル判定回路４ｂ、及び制御回路１ｂを、スーパーへテロダイン方式を採用した無線受信装置に実装しても良い。即ち、フィルタ３ｂは、ＲＦフロントエンド回路２ｂと中間周波（ＩＦ）信号処理回路９ａとの接続ノードに接続される。フィルタ３ｂ、レベル判定回路４ｂ、及び制御回路１ｂは、図１に示すフィルタ３ａ、レベル判定回路４ａ、及び制御回路１ａと同様にそれぞれ動作する。
【００３３】
また、ＲＦフロントエンド回路２ｂは、アンテナ８に接続されたＬＮＡ２１と、ＬＮＡ２１に接続された第１ＢＰＦ（イメージ除去フィルタ）２０２と、第１ＢＰＦ２０２に接続されたミキサ２０４と、ミキサ２０４に接続された第１発振器２０３とを備える。尚、アンテナ８とＬＮＡ２１との間に更にＢＰＦが接続される構成でも良い。ＩＦ信号処理回路９ａは、ミキサ２０４に接続された第２ＢＰＦ（チャネル選択フィルタ）９１ａと、第２ＢＰＦ９１ａに接続されたＩＦアンプ９２とを備える。直交復調器２０ｂは、ＩＦアンプ９２に接続された第１ミキサ２４ｂ及び第２ミキサ２６ｂと、第１ミキサ２４ｂ及び第２ミキサ２６ｂに接続された移相器２５ｂと、移相器２５ｂに接続された第２発振器２７ｂを備える。
【００３４】
更に、アンテナ８からの受信信号はＬＮＡ２１により増幅され、第１ＢＰＦ２０２に伝達される。第１ＢＰＦ２０２は、増幅された受信信号から所定帯域以外の不要なスプリアスを除去してミキサ２０４に伝達する。ミキサ２０４は、第１ＢＰＦ２０２の出力信号と第１発振器２０３からの発振信号をミキシングすることにより、ＩＦ信号を生成する。第２ＢＰＦ９１ａは、ＩＦ信号から所定帯域以外の不要なスプリアスを除去して、ＩＦアンプ９２に供給する。ＩＦアンプ９２は第２ＢＰＦ９１ａの出力信号を増幅して直交復調器２０ｂに供給する。直交復調器２０ｂは、ＩＦアンプ９２の出力信号から第１ＢＢ信号Ｉ及び第２ＢＢ信号Ｑを生成する。
【００３５】
このように、図１２に示すスーパーへテロダイン方式を採用した無線受信装置についても、受信感度の劣化を防止しつつ、消費電流を削減できる。
【００３６】
（第２の変形例）
本発明の実施の形態の第２の変形例として図１３に示すように、フィルタ３ｃ、レベル判定回路４ｃ、及び制御回路１ｂを、スーパーへテロダイン方式を採用した無線受信装置に実装しても良い。但し、フィルタ３ｃが直交復調器２０ｂの出力に接続される点が図１２と異なる。また、直交復調器２０ｂとＢＢ処理部７との間に第１ＢＢフィルタ１０ａ及び第２ＢＢフィルタ１０ｂが接続される点が図１２と異なる。フィルタ３ｃ、レベル判定回路４ｃ、及び制御回路１ｂは、図１に示すフィルタ３ａ、レベル判定回路４ａ、及び制御回路１ａと同様にそれぞれ動作する。その他の構成については図１２と同様である。
【００３７】
第２ＢＰＦ９１ｂがチャネル選択フィルタでなく、所望信号及び隣接チャネル等を含む近傍の周波数帯域を通過させる場合、直交復調器２０ｂとＢＢ処理部７の間に、所望信号を抽出する第１ＢＢフィルタ１０ａ及び第２ＢＢフィルタ１０ｂが設けられる。したがって、フィルタ３ｃが、周波数の低い第１ＢＢ信号Ｉ又は第２ＢＢ信号Ｑから所望信号及び隣接チャネル信号を抽出するので、図１２よりも高精度に、所望信号及び隣接チャネル信号の信号レベルを判定できる。
【００３８】
（その他の実施の形態）
上記のように、本発明は実施の形態によって記載したが、この開示の一部をなす論述及び図面はこの発明を限定するものであると理解すべきではない。この開示から当業者には様々な代替実施の形態、実施例及び運用技術が明らかとなろう。
【００３９】
上述した実施の形態においては、ＱＰＳＫ方式を採用する通信方式に対応した無線受信装置を例に説明したが、直交変調方式に限られるものではない。即ち、変調信号に振幅成分が含まれ、システム帯域内に複数の周波数チャネルを有する通信方式であれば良い。
【００４０】
また、図１に示すアンテナ８及びＢＢ処理部７以外の各回路は、同一の半導体基板上にモノリシックに集積化し、半導体集積回路として構成可能である。図１２及び図１３においても同様である。
【００４１】
このように本発明は、ここでは記載していない様々な実施の形態等を包含するということを理解すべきである。したがって、本発明はこの開示から妥当な特許請求の範囲の発明特定事項によってのみ限定されるものである。
【図面の簡単な説明】
【００４２】
【図１】本発明の実施の形態に係る無線受信装置の構成を示す回路ブロック図である。
【図２】本発明の実施の形態に係る無線受信装置の受信信号の一例を示す模式図である。
【図３】本発明の実施の形態に係る無線受信装置の受信信号に歪が生じる場合の一例を示す模式図である。
【図４】本発明の実施の形態に係る無線受信装置の動作モードを示す模式図である。
【図５】本発明の実施の形態に係る無線受信装置の受信信号における所望信号と隣接チャネル信号の関係の一例を示す模式図である。
【図６】本発明の実施の形態に係る無線受信装置の受信信号における所望信号と隣接チャネル信号の関係の一例を示す模式図である。
【図７】本発明の実施の形態に係る無線受信装置の受信信号における所望信号と隣接チャネル信号の関係の一例を示す模式図である。
【図８】本発明の実施の形態に係る無線受信装置の受信信号における所望信号と隣接チャネル信号の関係の一例を示す模式図である。
【図９】本発明の実施の形態に係る無線受信装置の低利得モード時における各信号の信号レベルの変化の様子を示すグラフである。
【図１０】本発明の実施の形態に係る無線受信装置の低利得モード時における各信号の信号レベルの変化の様子を示すグラフである。
【図１１】本発明の実施の形態に係る制御回路の動作の概要を示すフローチャートである。
【図１２】本発明の実施の形態の第１の変形例に係る無線受信装置の構成を示す回路ブロック図である。
【図１３】本発明の実施の形態の第２の変形例に係る無線受信装置の構成を示す回路ブロック図である。
【符号の説明】
【００４３】
１ａ、１ｂ…制御回路
２ａ、２ｂ…高周波（ＲＦ）フロントエンド回路
３ａ〜３ｃ…フィルタ
４ａ〜４ｃ…レベル判定回路
７…ベースバンド（ＢＢ）処理部
１１…利得制御回路
１２…電流制御回路
１３…電流供給回路
【図１】
2006129161.tif 000003
【図２】
2006129161.tif 000004
【図３】
2006129161.tif 000005
【図４】
2006129161.tif 000006
【図５】
2006129161.tif 000007
【図６】
2006129161.tif 000008
【図７】
2006129161.tif 000009
【図８】
2006129161.tif 000010
【図９】
2006129161.tif 000011
【図１０】
2006129161.tif 000012
【図１１】
2006129161.tif 000013
【図１２】
2006129161.tif 000014
【図１３】
2006129161.tif 000015